(57)【要約】      （修正有）【課題】ゴルフのパッティングの際に重要な両腕の間隔を、身体で認識しながら自覚することで、器具を取り外した際でも、的確に、且つ理想的にパッティングを行うことができる簡易なパッティング練習具を提供する。【解決手段】ゴルフパターのグリップ先端に装着されるパッティング練習具１であって、グリップ先端の開孔部に挿着される連結部１０と、該連結部１０の上部に装着される、パッティング時における両腕の配設間隔を身体で認識できる腕配設確認部２０とを具備する。連結部１０が、支軸１１と、支軸１１に等間隔に配設された、開孔部に圧入される複数の瘤状部１２とからなることが好ましい。腕配設確認部２０が、連結部１０上部に装着される本体部２１と、本体部２１の両側に伸縮可能に具備される一対の距離確認具２５と、本体部２１の上部にスライド自在に装着される方向指示部４０とで構成されていることが好ましい。【選択図】図１
2010227446.tif 000002
【特許請求の範囲】
【請求項１】
ゴルフパターのグリップ先端に装着されるパッティング練習具であって、前記グリップ先端の開孔部に挿着される連結部と、該連結部の上部に装着される、パッティング時における両腕の配設間隔を身体で認識できる腕配設確認部とを具備することを特徴とするパッティング練習具。
【請求項２】
前記連結部が、支軸と、該支軸に等間隔に配設された、開孔部に圧入される複数の瘤状部とからなる請求項１記載のパッティング練習具。
【請求項３】
前記腕配設確認部が、連結部上部に装着される本体部と、該本体部の両側に伸縮可能に具備される一対の距離確認具と、前記本体部の上部にスライド自在に装着される方向指示部とで構成されている請求項１または２記載のパッティング練習具。
【請求項４】
前記距離確認具が、軸体と、該軸体の先端に着脱自在に具備される尖頭状の接触部と、該軸体の他端に形成された、本体部と伸縮可能に螺合される螺子部とで構成されている請求項３記載のパッティング練習具。
【請求項５】
前記方向指示部が、先方に具備された切込部と、上面に備えられたマーク部とからなる請求項３記載のパッティング練習具。
【発明の詳細な説明】
【技術分野】
【０００１】
本発明は、ゴルフのパッティングの際に重要な両腕の間隔を、身体で認識しながら自覚することができるパッティング練習具に関する。
【背景技術】
【０００２】
ゴルフプレーにおいて、パッティングの良し悪しは距離感や方向性、またグリーンのラインの読み方等が基本となる。また、パターを打つときのボールの位置確認も必要であり、さらにテイクバックとフォロースルーの距離もほぼ同じになるように意識を持ってストロークすることが重要なポイントとなる。
【０００３】
このような観点から、どんなパターであっても簡単に使用でき、且つどんなパッティングフォームにでも対応できると共に、練習者自身のスイングフォームをも矯正することを目的として開発されたパッティング練習器が知られている（例えば、特許文献１参照）。
【０００４】
この特許文献１記載のパッティング練習器は、パタースイングを行うべく、パターが案内されるガイド面を有するガイド体が基台に設けられ、且つ該基台に対する前記ガイド面の角度を変更可能とすべく、前記ガイド体は基台に回動自在に設けられてなるものである。
【０００５】
また、パターの練習を効率的に行い、短期的に上達を図ることができるゴルフパター練習具も知られている（例えば、特許文献２参照）。
【０００６】
この特許文献２記載のゴルフパター練習具は、パターのグリップと手首との間に介装され、パタースイング時、グリップと手首との間隔を一定に維持して両肩と両手の間にできる三角形を崩さないように手首を固定するための間隔保持体と、この間隔保持体をパターのグリップの上部に着脱自在に取り付ける取付手段とを備えているものである。
【先行技術文献】
【特許文献】
【０００７】
【特許文献１】特開平１１−７６４８６号公報
【特許文献２】実用新案登録第３１４１２８９号公報
【発明の概要】
【発明が解決しようとする課題】
【０００８】
しかしながら、特許文献１記載のパッティング練習器は、構造が大掛かりとなり、多額の製造コストを必要とした。また、携帯や移動が困難であり、練習時においても広い収納スペースが必要であった。
【０００９】
また、特許文献２記載のゴルフパター練習具は、間隔保持体を装着している間はグリップと手首との間隔を一定に維持することはできるが、間隔保持体を取り外してスイングを行った際、手首の間隔がずれてしまい、理想的なパッティングを行うことができないという欠点があった。このように、これまでは上記要求特性のすべてを満足するものは知られていなかったのが現状である。
【００１０】
そこで本発明の目的は、上記の課題を解決するために、ゴルフのパッティングの際に重要な両腕の間隔を、身体で認識しながら自覚することで、器具を取り外した際でも、的確に、且つ理想的にパッティングを行うことができる簡易なパッティング練習具を提供することにある。
【課題を解決するための手段】
【００１１】
上記課題を解決するために、本発明のパッティング練習具は、ゴルフパターのグリップ先端に装着されるパッティング練習具であって、前記グリップ先端の開孔部に挿着される連結部と、該連結部の上部に装着される、パッティング時における両腕の配設間隔を身体で認識できる腕配設確認部とを具備することを特徴とするものである。
【００１２】
また、前記連結部は、好適には支軸と、前記支軸に等間隔に配設された、開孔部に圧入される複数の瘤状部とからなる。
【００１３】
さらに前記腕配設確認部は、連結部上部に装着される本体部と、該本体部の両側に伸縮可能に具備される一対の距離確認具と、前記本体部の上部にスライド自在に装着される方向指示部とで構成されていることが好ましい。
【００１４】
さらにまた、前記距離確認具は、軸体と、該軸体の先端に着脱自在に具備される尖頭状の接触部と、軸体の他端に形成された、本体部と伸縮可能に螺合される螺子部とで構成されていることが好ましい。
【００１５】
さらにまた、前記方向指示部は、先方に具備された切込部と、上面に備えられたマーク部とからなることが好ましい。
【発明の効果】
【００１６】
ゴルフパターのグリップ先端に、両腕の配設間隔を身体で認識できる腕配設確認部を設けたことにより、パッティングの際に重要な両腕の間隔を、身体で認識しながら自覚することができる。そのため、腕配設確認部を取り外した際でも、両腕の間隔を一定に維持することができ、的確に、且つ理想的にパッティングを行うことができる。
【００１７】
また、距離確認具を本体部両側に伸縮可能に具備することで、腕の長さや身体の差異に応じた自在な対応が可能になる。
【００１８】
さらに、腕配設確認部に方向指示部を設けたことで、右腕の位置やパッティングの方向性も容易に視認することができる。
【図面の簡単な説明】
【００１９】
【図１】本発明のパッティング練習具の斜視図である。
【図２】前記パッティング練習具の分解斜視図である。
【図３】前記パッティング練習具の断面図である。
【図４】前記パッティング練習具の平面図である。
【図５】本発明のパッティング練習具の使用例を示す説明図である。
【発明を実施するための形態】
【００２０】
本発明のパッティング練習具の詳細を図面に基づいて説明する。
図１乃至図４に示す本発明の一好適例のパッティング練習具１は、ゴルフパターのグリップＡ先端に装着されるものである。このパッティング練習具１は、グリップＡ先端の開孔部ａに挿着される連結部１０と、連結部１０上部に装着される、パッティング時における両腕の配設間隔を身体で認識できる腕配設確認部２０とで構成されている。
【００２１】
連結部１０は、軽量であり、適宜強度と加工面に優れた合成樹脂素材で形成されていることが好ましい。連結部１０は、支軸１１と、この支軸１１に等間隔に配設された、グリップＡの開孔部ａに圧入される複数の瘤状部１２とからなる。
【００２２】
図１において、連結部１０における瘤状部１２は、当該瘤状部１２がグリップＡの開孔部ａに圧入され得る径を有している。連結部１０は、その上端に腕配設確認部２０を保持し、連結部１０の下端を開孔部ａに圧入することで、腕配設確認部２０をグリップＡの先端に装着することができる。また、連結部１０に複数の瘤状部１２が設けられていることで、図３に示すように、グリップＡの先端から腕配設確認部２０までの間隔を多段階に自在に調節することができる。
【００２３】
図１に示す腕配設確認部２０は、連結部１０の上部に装着される本体部２１と、本体部２１の両側に伸縮可能に具備される一対の距離確認具２４，２５と、本体部２１の上部にスライド自在に装着される方向指示部４０とで構成されている。また、本体部２１と方向指示部４０とは、連結部１０と同様に、軽量であり、適宜強度と加工面に優れた合成樹脂素材で形成されていることが好ましい。
【００２４】
図２に示すように、本体部２１は、箱型状に形成されており、一側面には、距離確認具２４が螺合する螺子孔２２が、他側面には、距離確認具２５が螺合する螺子孔２３が、それぞれ内部で貫通された状態で穿孔されている。また、図３に示す本体部２１の底面には、連結部１０の上部を着脱自在に装着する凹部３４が形成されている。
【００２５】
距離確認具２４，２５は、軸体２６，２７と、軸体の先端に着脱自在に具備される尖頭状の接触部２８，２９と、軸体２６，２７の他端に形成された、本体部２１と伸縮可能に螺合される螺子部３０，３１とで構成されている。
【００２６】
一方の距離確認具２４は、特に、図５に示すオーバーラッピンググリップの際、右手Ｒ側に配設されるものである。図２に示すように、距離確認具２４の軸体２６は金属、もしくは樹脂にて形成され、一端には、本体部２１の螺子孔２２に螺合する螺子部３０が、他端には、接触部２８を着脱自在に装着する螺子部３２が形成されている。また、軸体２６は、一方の距離確認具２５の軸体２７よりもやや長尺に形成されていることが好ましい。
【００２７】
接触部２８は弾性素材で形成され、三角錐型の尖頭状を呈している。接触部２８を尖頭状に形成することで、パッティングの際、右手が必要以上に内側に移動したときに右手の内側が尖頭部に接触することで、プレーヤーは右手が移動したことを自覚し、理想的な右手の位置を身体で認識することができる。また、距離確認具２４は、軸体２６を巻回させることで本体部２１から伸縮させることができ、身体の差異に応じて長さを任意に調整することが可能になる。
【００２８】
他方の距離確認具２５は、特に、図５に示すオーバーラッピンググリップの際、左手Ｌ側に配設されるものである。図２に示すように、距離確認具２５の軸体２７一端には、本体部２１の螺子孔２３に螺合する螺子部３１が、他端には、接触部２９を着脱自在に装着する螺子部３３が形成されている。
【００２９】
距離確認具２５により、パッティングの際、左手が必要以上に内側に移動したときに左手の内側が距離確認具２５の接触部２９の尖頭部に接触することで、プレーヤーは左手が移動したことを自覚し、理想的な左手の位置を身体で認識することができる。また、距離確認具２５は、軸体２７を巻回させることで本体部２１から伸縮させることができ、身体の差異に応じて長さを任意に調整することが可能になる。
【００３０】
図２に示す方向指示部４０は、本体部２１の上部に具備された係合部材３５内にスライド自在に装着されるもので、平板状の本体部４１と、本体部４１の先方に具備された切込部４２と、本体部４１の上面に備えられた、右腕の位置を確認するマーク部４３とからなる。
【００３１】
方向指示部４０の側面には、鋸状の凹凸部４４が形成されていることが好ましい。かかる凹凸部４４は、前記係合部材３５内の凹凸部３６に係合され、方向指示部４０を水平方向にスライドさせることで、凹凸部４４，３６がそれぞれ係合しながらスライド自在に装着される。
【００３２】
また、切込部４２は、Ｖ字状に形成され、図４に示すように、距離確認具２４の長さや右腕の位置を確認することができる。また、図５の（ｃ）に示すように、距離確認具２４，２５を取り外した際には、方向指示部４０により、グリップＡと右腕との距離の確認も行うことができる。
【００３３】
次に、本発明のパッティング練習具の使用例を図５の（ａ）、（ｂ）および（ｃ）に基づいて説明する。
【００３４】
（ａ）は、パターのグリップで最もオーソドックスとされているオーバーラッピンググリップにおける腕の位置を示すもので、グリップＡに対して右手Ｒはやや広く、左手Ｌは狭く配置される。通常、パッティングの距離や方向のズレは、このグリップＡに対する腕の距離が狭くなることにより生じる。そのため、パターのグリップＡの先端にパッティング練習具１を装着する際、距離確認具２４をやや長めに、距離確認具２５を短めにセットする。このとき、距離確認具２４の接触部２８の先端と右手Ｒの内側、および距離確認具２５の接触部２９の先端と左手Ｌの内側にわずかな隙間を設けるようにセットすることが望ましい。
【００３５】
この状態で、通常のパットスイングをした際、理想的なスイングができると、接触部２８，２９に両腕が触れることがない。しかし、左右の腕、もしくは一方の腕が内側に移動して、腕の内側が接触部２８，２９の尖頭部に接触すると、そのことで、プレーヤーは腕が移動したことを自覚し、理想的な腕の位置を身体で認識することができる。
【００３６】
上述の練習を繰り返すことで、右手と左手の位置を身体で認識しながら自覚することができるため、グリップＡからパッティング練習具１を取り外しても、左右の手の内側への移動が解消され、理想的なパッティングを行うことができる。
【００３７】
（ｂ）は連結部１０を上方へ移動させた状態を示すもので、腕の長さや肩幅に応じた調整ができることを示す。また、この際、距離確認具２４，２５の長さを調整することもできる。
【００３８】
（ｃ）は、練習距離確認具２４，２５を取り外した状態を示すものである。これは、左右の腕の間隔をある程度自覚した後、次の段階として、方向指示部４０のみで右腕の位置を自覚する練習である。この練習により、右手の位置を身体で自覚することができるとともに、方向指示部４０によりバックスイングとフォロースイングの正確さを高めることが可能になる。
【００３９】
上述のように、本発明のパッティング練習具１をグリップ先端に装着することで、パッティングの際に重要な両腕の間隔を、身体で認識しながら自覚させることができる。また、腕の位置を身体に認識させることで、パッティング練習具１を取り外した際でも、両腕の間隔を一定に維持することができ、的確に、且つ理想的にパッティングを行うことができる。
【００４０】
また、距離確認具２４、２５を本体部２１両側に伸縮可能に具備することで、腕の長さや身体の差異に応じた自在な対応が可能になる。さらに、腕配設確認部２０に方向指示部４０を設けたことで、パッティングの方向性も容易に視認することができる。
【符号の説明】
【００４１】
１  パッティング練習具
１０  連結部
１１  支軸
１２  瘤状部
２０  腕配設確認部
２１  本体部
２２  螺子孔
２３  螺子孔
２４  距離確認具
２５  距離確認具
２６  軸体
２７  軸体
２８  接触部
２９  接触部
３０  螺子部
３１  螺子部
３２  螺子部
３３  螺子部
３４  凹部
３５  係合部材
３６  凹凸部
４０  方向指示部
４１  本体部
４２  切込部
４３  マーク
４４  凹凸部
Ａ  グリップ
ａ  開孔部
Ｒ  右腕
Ｌ  左腕
【図１】
2010227446.tif 000003
【図２】
2010227446.tif 000004
【図３】
2010227446.tif 000005
【図４】
2010227446.tif 000006
【図５】
2010227446.tif 000007